(57)【要約】【課題】複写時にカラー、２色カラー、又はモノクロ出力を切り換えて利便性を高める画像形成装置を提供する。【解決手段】  画像形成装置１は、印刷データを印刷する画像形成部７と、該画像形成手段で印刷された原稿を画像データとして読み取る原稿読取部２とを備える。記憶部９のアカウント設定９０は、ユーザーの認証情報と、スキャン画像データ９５の出力を制限するための出力制限設定情報とを記憶する。カラー出力制御部８１は、ユーザー認証を行う。カラー出力制御部８１は、印刷の際に、認証されたユーザーの出力制限設定情報により、出力管理条件情報を付加する。カラー出力制御部８１は、スキャン画像データ９５から、出力管理条件情報を復号化して取得する。また、カラー出力制御部８１は、出力管理条件情報と、アカウント設定９０の出力制限設定情報とに応じて、カラー、２色カラー、又はモノクロ出力の制御を行う。【選択図】図２
2014131126.tif 000002
【特許請求の範囲】
【請求項１】
カラー出力が可能な画像形成装置において、
取得した印刷データを印刷する画像形成手段と、
前記印刷データの特徴量を算出し、該特徴量により、前記印刷データの複写の際における、カラー出力制御を管理する出力管理条件情報を生成する出力管理条件情報生成手段と、
前記画像形成手段による印刷において、前記出力管理条件情報生成手段により生成された出力管理条件情報を付加する出力管理条件情報付加手段とを備える
ことを特徴とする画像形成装置。
【請求項２】
カラー出力が可能な画像形成装置において、
カラー出力制御を管理する出力管理条件情報が付加されて印刷された原稿を画像データとして読み取る読取手段と、
前記読取手段により読み取られた前記画像データを複写する画像形成手段と、
ユーザーの認証情報と、前記画像形成手段による前記画像データの出力を制限するための出力制限設定情報とを記憶するアカウント設定記憶手段と、
前記ユーザーの前記認証情報により、ユーザー認証を行うユーザー認証手段と、
前記読取手段により読み取られた前記画像データから、前記出力管理条件情報を復号化して取得する出力管理条件情報復号手段と、
前記読取手段により読み取られた前記画像データを前記画像形成手段により出力する際に、カラー出力制御を行うカラー出力制御手段とを備え、
前記カラー出力制御手段は、前記出力管理条件情報復号手段により取得された前記出力管理条件情報と、前記ユーザー認証手段により認証された前記ユーザーの前記出力制限設定情報とに応じてカラー出力制御を行う
ことを特徴とする画像形成装置。
【請求項３】
前記出力管理条件情報の前記特徴量の算出に用いられるカラー選択条件設定を記憶するカラー選択条件設定記憶手段を備え、
前記出力管理条件情報生成手段は、前記カラー選択条件設定記憶手段に記憶された前記カラー選択条件設定を基に前記出力管理条件情報を生成する
ことを特徴とする請求項１に記載の画像形成装置。
【請求項４】
ユーザーの認証情報と、前記画像形成手段による前記画像データの出力を制限するための出力制限設定情報とを記憶するアカウント設定記憶手段と、
前記ユーザーの前記認証情報により、ユーザー認証を行うユーザー認証手段と、
前記出力管理条件情報生成手段により算出される前記特徴量として、前記画像形成手段により印刷される前記印刷データのカラー率を算出するカラー率算出手段とを備え、
前記カラー選択条件設定記憶手段に記憶されるカラー選択条件設定は、前記カラー率により選択される複数のカラーレベルの閾値、複写の際の前記ユーザーによる前記画像形成手段でのカラー出力制限条件、又は前記画像形成手段による２色カラー出力の可否を含み、
前記出力管理条件情報は、前記カラー率算出手段により算出された前記カラー率を含み、
前記アカウント設定記憶手段に記憶される前記出力制限設定情報は、前記カラーレベルにより、カラー出力制御を行うための設定であるカラー出力許可設定と、前記カラー選択条件設定の前記カラー出力制限条件に関わらずモノクロで出力するか否かの制限の設定であるカラー出力制限設定と、前記カラー選択条件設定の前記２色カラー出力の許可により２色カラーで出力することを許可するか否かの設定である２色カラー出力許可設定とを含む
ことを特徴とする請求項３に記載の画像形成装置。
【請求項５】
前記印刷データに含まれるロゴマークのデータを記憶するロゴマーク記憶手段と、
前記印刷データから前記ロゴマークを認識するロゴマーク認識手段とを備え、
前記カラー選択条件設定記憶手段に記憶される前記カラー選択条件設定は、前記ロゴマーク認識手段により認識されたロゴマークの有無によるロゴカラー出力の可否であるロゴカラー出力許可設定を含み、
前記出力管理条件情報は、前記ロゴマーク認識手段により認識されたロゴマークの有無の情報を含む
ことを特徴とする請求項３又は４に記載の画像形成装置。
【請求項６】
前記出力管理条件情報付加手段は、前記出力管理条件情報を、目視にて識別し難い状態で付加する
ことを特徴とする請求項１、３乃至５のいずれか１項に記載の画像形成装置。
【請求項７】
カラー出力が可能な画像形成方法において、
取得した印刷データを印刷し、
前記印刷データの特徴量を算出し、該特徴量により、前記印刷データの複写の際における、カラー出力制御を管理する出力管理条件情報を生成し
印刷において、生成された出力管理条件情報を付加する
ことを特徴とする画像形成方法。
【発明の詳細な説明】
【技術分野】
【０００１】
本発明は、画像形成装置及び画像形成方法に係り、特にカラー、２色カラー、コピーの出力を切り換える画像形成装置及び画像形成方法に関する。
【背景技術】
【０００２】
従来のカラー印刷が可能な複写機や複合機（Multifunctional Peripheral, MFP）等の画像形成装置では、ユーザーＩＤの入力により複写や印刷の際の管理が行われることがある。
この出力管理としては、例えば、枚数の管理が行われる。これに加え、経費節減の観点から、カラートナー等の消費を制限するために、ユーザーによってはカラー出力を制限する場合もある。この場合、カラー出力が制限されているユーザーがカラー画像を出力しようとしても、カラーで出力させないか、又はモノクロに変換して出力する。
【０００３】
一方、画像データに対して、画質にほとんど影響を与えずに所定情報を埋め込む技術として、「電子透かし」が従来から用いられている。
このような電子透かしを画像形成装置に応用する技術として、例えば、特許文献１乃至３のような技術が開示されている。
特許文献１乃至３の技術では、画像形成装置により、電子透かしに複写禁止情報を埋め込んで印刷を行う。このような画像形成装置は、印刷物を複写する際に、埋め込まれた複写禁止情報が抽出された場合、複写を禁止する。
【先行技術文献】
【特許文献】
【０００４】
【特許文献１】特開２００１−２５１４９０号公報
【特許文献２】特開２００７−１７４１７８号公報
【特許文献３】特開２００８−２４４５１８号公報
【発明の概要】
【発明が解決しようとする課題】
【０００５】
しかしながら、従来、カラー出力を制限されているユーザーがカラー画像を出力したい場合には、どのようなカラー画像であるかに関わらず、管理者からカラー出力の許可を得てカラー出力するか、モノクロ画像を出力するしかなかった。
つまり、従来は、印鑑やロゴマーク等が存在する白黒の文書をコピーする場合、印鑑やロゴマークの部分のみがカラーであり、カラーのトナー等の消費が僅かであるにも関わらず、モノクロで出力されるという不便が生じていた。
また、原稿によっては、原本はカラー文書であっても、複写の際には、原本との差異をつけるためにカラー出力を制限したい場合もあった。
このため、カラー出力の制限を行うと、ユーザーの利便性が低くなるという問題があった。
【０００６】
本発明は、このような状況に鑑みてなされたものであり、上述の課題を解消することを課題とする。
【課題を解決するための手段】
【０００７】
本発明の画像形成装置は、カラー出力が可能な画像形成装置において、取得した印刷データを印刷する画像形成手段と、前記印刷データの特徴量を算出し、該特徴量により、前記印刷データの複写の際における、カラー出力制御を管理する出力管理条件情報を生成する出力管理条件情報生成手段と、前記画像形成手段による印刷において、前記出力管理条件情報生成手段により生成された出力管理条件情報を付加する出力管理条件情報付加手段とを備えることを特徴とする。
本発明の画像形成装置は、カラー出力が可能な画像形成装置において、カラー出力制御を管理する出力管理条件情報が付加されて印刷された原稿を画像データとして読み取る読取手段と、前記読取手段により読み取られた前記画像データを複写する画像形成手段と、ユーザーの認証情報と、前記画像形成手段による前記画像データの出力を制限するための出力制限設定情報とを記憶するアカウント設定記憶手段と、前記ユーザーの前記認証情報により、ユーザー認証を行うユーザー認証手段と、前記読取手段により読み取られた前記画像データから、前記出力管理条件情報を復号化して取得する出力管理条件情報復号手段と、前記読取手段により読み取られた前記画像データを前記画像形成手段により出力する際に、カラー出力制御を行うカラー出力制御手段とを備え、前記カラー出力制御手段は、前記出力管理条件情報復号手段により取得された前記出力管理条件情報と、前記ユーザー認証手段により認証された前記ユーザーの前記出力制限設定情報とに応じてカラー出力制御を行うことを特徴とする。
本発明の画像形成装置は、前記出力管理条件情報の前記特徴量の算出に用いられるカラー選択条件設定を記憶するカラー選択条件設定記憶手段を備え、前記出力管理条件情報生成手段は、前記カラー選択条件設定記憶手段に記憶された前記カラー選択条件設定を基に前記出力管理条件情報を生成することを特徴とする。
本発明の画像形成装置は、ユーザーの認証情報と、前記画像形成手段による前記画像データの出力を制限するための出力制限設定情報とを記憶するアカウント設定記憶手段と、前記ユーザーの前記認証情報により、ユーザー認証を行うユーザー認証手段と、前記出力管理条件情報生成手段により算出される前記特徴量として、前記画像形成手段により印刷される前記印刷データのカラー率を算出するカラー率算出手段とを備え、前記カラー選択条件設定記憶手段に記憶されるカラー選択条件設定は、前記カラー率により選択される複数のカラーレベルの閾値、複写の際の前記ユーザーによる前記画像形成手段でのカラー出力制限条件、又は前記画像形成手段による２色カラー出力の可否を含み、前記出力管理条件情報は、前記カラー率算出手段により算出された前記カラー率を含み、前記アカウント設定記憶手段に記憶される前記出力制限設定情報は、前記カラーレベルにより、カラー出力制御を行うための設定であるカラー出力許可設定と、前記カラー選択条件設定の前記カラー出力制限条件に関わらずモノクロで出力するか否かの制限の設定であるカラー出力制限設定と、前記カラー選択条件設定の前記２色カラー出力の許可により２色カラーで出力することを許可するか否かの設定である２色カラー出力許可設定とを含むことを特徴とする。
本発明の画像形成装置は、前記印刷データに含まれるロゴマークのデータを記憶するロゴマーク記憶手段と、前記印刷データから前記ロゴマークを認識するロゴマーク認識手段とを備え、前記カラー選択条件設定記憶手段に記憶される前記カラー選択条件設定は、前記ロゴマーク認識手段により認識されたロゴマークの有無によるロゴカラー出力の可否であるロゴカラー出力許可設定を含み、前記出力管理条件情報は、前記ロゴマーク認識手段により認識されたロゴマークの有無の情報を含むことを特徴とする。
本発明の画像形成装置は、前記出力管理条件情報付加手段は、前記出力管理条件情報を、目視にて識別し難い状態で付加することを特徴とする。
本発明の画像形成方法は、カラー出力が可能な画像形成方法において、取得した印刷データを印刷し、前記印刷データの特徴量を算出し、該特徴量により、前記印刷データの複写の際における、カラー出力制御を管理する出力管理条件情報を生成し印刷において、生成された出力管理条件情報を付加することを特徴とする。
【発明の効果】
【０００８】
本発明によれば、電子透かしに出力管理条件情報を付加して、カラー、２色カラー、モノクロの出力を柔軟に切り換え、又はロゴマークのみカラーで印刷することもでき、ユーザーの利便性を高めた画像形成装置を提供することができる。
【図面の簡単な説明】
【０００９】
【図１】本発明の実施の形態に係る画像形成装置１の内部構成を示す概略模式断面図である。
【図２】本発明の実施の形態に係る画像形成装置１の制御構成を示すブロック図である。
【図３】本発明の実施の形態に係るカラー出力管理処理のフローチャートである。
【図４】本発明の実施の形態に係るカラー選択条件設定処理の画面例である。
【図５】本発明の実施の形態に係る原稿読み込み出力選択処理の詳細を示すフローチャートである。
【発明を実施するための形態】
【００１０】
＜実施の形態＞
〔画像形成装置１の構成〕
次に、図１〜図２を参照して、本発明の実施の形態に係る画像形成装置１の構成について詳しく説明する。
図１によると、本実施の形態の画像形成装置１は、原稿読取部２（読取手段）、原稿給送部３、本体部４、スタックトレイ５、操作パネル部６（表示手段）を備えている。
原稿読取部２は、本体部４の上部に配設され、原稿給送部３は、原稿読取部２の上部に配設されている。スタックトレイ５は、本体部４に形成された記録紙の排出口４１側に配設され、また、操作パネル部６は、画像形成装置１のフロント側に配設されている。
【００１１】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
原稿読取部２は、原稿を一枚ずつ、名刺〜Ａ３等の原稿サイズを自動的に認識して、認識したサイズに対応する所定範囲の画像を読み取る（スキャン）ことができる。
【００１２】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させるプラテンカバーとしても機能させることができる。
【００１４】
本体部４は、画像形成部７を備えると共に、給紙部４２と、用紙搬送路４３と、搬送ローラー４４と、排出ローラー４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。給紙カセット４２１は、用紙保持部として機能する。
給紙ローラー４２２、搬送ローラー４４、及び排出ローラー４５は、搬送部として機能する。記録紙は、この搬送部により搬送される。給紙ローラー４２２によって用紙搬送路４３に繰り出された記録紙は、搬送ローラー４４によって画像形成部７に搬送される。
そして、画像形成部７によって記録が施された記録紙は、排出ローラー４５によってスタックトレイ５に排出される。
【００１５】
操作パネル部６は、ＬＣＤ等の表示部と、各種指示を行うためのタッチパネル６１やボタン部６２等とを備えている。
タッチパネル６１は、抵抗膜方式や静電容量方式のタッチパネルであり、ユーザーが押下した表示部上の座標や押圧等による指示情報を取得する。タッチパネル６１は、マルチタッチ対応のパネルの場合には、複数の座標や押圧等を検知できる。
ボタン部６２は、スタートキー、テンキー、複写、スキャン等の動作モードの切り換えや、選択された文書の印刷／送信／受信等に係るユーザーの指示を取得するためのボタンである。
操作パネル部６のタッチパネル６１及びボタン部６２は、ユーザーによる画像形成装置１の指示を取得する。このため、操作パネル部６のタッチパネル６１やボタン部６２からユーザー認証を行うことができる。
【００１６】
画像形成部７は、感光体ドラム７１と、露光部７２と、現像部７３と、転写部７４と、定着部７５とを備えている。
露光部７２は、レーザー装置やＬＥＤアレイやミラーやレンズ等を備えた光学ユニットであり、画像データに基づいて光等を出力して感光体ドラム７１を露光し、感光体ドラム７１の表面に静電潜像を形成する。
現像部７３は、トナーを用いて感光体ドラム７１に形成された静電潜像を現像する現像ユニットであり、静電潜像に基づいたトナー像を感光体ドラム７１上に形成させる。転写部７４は、現像部７３によって感光体ドラム７１上に形成されたトナー像を記録紙に転写させる。定着部７５は、転写部７４によってトナー像が転写された記録紙を加熱してトナー像を記録紙に定着させる。
【００１７】
なお、原稿給送部３は、原稿が原稿載置部３１に載置された際に、原稿のサイズや枚数等も含めて検知する原稿検知センサを備えている。また、原稿給送部３は、プラテンカバーが開閉されたことを検知する開閉センサ等も備えている。
また、本体部４は、図示しない手差しトレイの開閉や、給紙カセット４２１の交換等を用紙セットとして検知するセンサも備えている。この他にも、各手段は、状態の変化を検知するためのセンサを備えている。
制御部８は、これらのセンサ及び操作パネル部６からのユーザーの指示を検知して、通常起動状態で、スキャンを含む各種ジョブを実行することができる。
【００１８】
図２には、画像形成装置１の概略制御構成を示すブロック図が示されている。上述の原稿読取部２、原稿給送部３、搬送部（給紙ローラー４２２、搬送ローラー４４、排出ローラー４５）、操作パネル部６、及び画像形成部７は、制御部８に接続され、制御部８によって動作制御される。また、制御部８には、記憶部９、画像処理部１０、ネットワーク送受信部１２等が接続されている。
【００１９】
制御部８は、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。また、制御部８は、３ＤＥＳやＡＥＳ等の暗号化／復号化の演算を高速化するための専用の演算手段を備えていてもよい。
制御部８は、ＲＯＭに記憶されている制御プログラムを読み出し、制御プログラムをＲＡＭに展開させることで、操作パネル部６から入力されたユーザーの指示情報に応じて、装置全体の制御を行う。また、制御部８及び画像処理部１０は、他の端末からの指示で、各種の制御を行うこともできる。
また、制御部８又は画像処理部１０は、自動カラー認識（Auto Color Recognition）を行う回路や演算手段を備えていてもよい。
【００２０】
また、制御部８は、カラー出力制御部８１（出力管理条件情報生成手段、出力管理条件情報付加手段、カラー出力制御手段、ユーザー認証手段、出力管理条件情報復号手段、カラー率算出手段、ロゴマーク認識手段）を機能手段として備えている。
ここで、本実施形態の画像形成装置１は、カラー、２色カラー、又はモノクロの指定を行って印刷（出力）することが可能である。「カラー」は、例えば、シアン（Ｃｙａｎ、Ｃ）、マゼンタ（Ｍａｇｅｎｔａ、Ｍ）、イエロー（Ｙｅｌｌｏｗ、Ｙ）、黒（ｂｌａｃＫ、Ｋ）、濃度が異なるトナー等、及び色域が異なる中間色のトナー等を少なくとも３種以上用いて、人の色覚上でカラーとして認識される印刷を行うことをいう。「２色カラー」は、これらの色のトナー等のうち任意の２色の組み合わせを用いることや、又は例えば赤（Ｒｅｄ、Ｒ）、緑（Ｇｒｅｅｎ、Ｇ）、青（Ｂｌｕｅ、Ｂ）等の補色でない２色印刷用のトナー等を組み合わせて用いることをいう。「モノクロ」は、単色のトナー等を用いることをいう。つまり、「カラー」、「２色カラー」、「モノクロ」の指定の順に、消費するトナー等の種類が少なくなる。さらに、本実施形態の画像形成装置１は、ロゴマーク等の所定座標のみカラー出力する「ロゴカラー」の出力を選択する。カラー出力制御部８１は、これらのカラー出力の切り換えについてのカラー出力制御を行う。
【００２１】
カラー出力制御部８１は、管理者の指示により、カラー印刷及び複写時の出力管理条件を設定する。この出力管理条件は、主に記憶部９のカラー選択条件設定９１とアカウント設定９０の出力制限設定情報に関する設定とから構成される。
また、カラー出力制御部８１は、印刷時に、印刷された原稿に、電子透かし等で出力管理条件情報を付加する。この出力管理条件情報としては、印刷を行ったユーザーを示す「ユーザーＩＤ」、カラーの面積を示す「カラー率」、カラー出力を可能とする制限の条件を示す「カラー出力制限条件」、２色カラーでの印刷の可否と可能な色の組み合わせを示す「２色カラー化可否」、ロゴマーク等の有無や種類や座標等を示す「ロゴマーク」等を用いる。
また、カラー出力制御部８１は、複写時に、ユーザー認証を行い、電子透かしから埋め込まれた出力管理条件情報を読み取り、これとユーザーの出力制限設定情報に従って、カラー、２色カラー、又はモノクロで出力する。さらに、２色カラー又はモノクロの場合には、ロゴカラーでの出力を選択してもよい。
制御部８による処理の詳細については後述する。
【００２２】
記憶部９は、半導体メモリやＨＤＤ（Hard Disk Drive）等の記憶手段である。
記憶部９は、原稿読取部２で読み取られ画像処理部１０で画像処理された画像データを一時ファイルであるスキャン画像データ９５として記憶する。また、記憶部９は、外部の記録媒体から読み出された各種ファイル、サムネイル（thumbnail）画像のデータ等も記憶する。
また、記憶部９には、各ユーザーの保存フォルダを備えている。この保存フォルダは、スキャン画像データ９５をＰＤＦ等のファイル化したデータ、その他の画像データや印刷データ等をＮＡＳ（Network Attached Storage）のように保持する。また、これらのデータは、ネットワーク１００を経由して端末２００に送信されてもよい。
また、記憶部９は、アカウント設定９０を記憶するアカウント設定記憶手段として機能する。また、記憶部９は、カラー選択条件設定９１を記憶するカラー選択条件設定記憶手段として機能する。また、記憶部９は、ロゴ設定９４（ロゴマークのデータ）を記憶するロゴマーク記憶手段として機能する。また、記憶部９は、スキャン画像データ９５を記憶するスキャン画像データ記憶手段として機能する。また、記憶部９は、ジョブデータ９６（印刷データ）を記憶する印刷データ記憶手段として機能する。
【００２３】
アカウント設定９０は、ユーザーのアカウント毎の画像形成装置１の各種情報を備えたデータベースである。アカウント設定９０は、ユーザーＩＤ（Identification）毎に、暗号化された認証情報、出力制限設定情報等を含んでいる。
認証情報は、ユーザーＩＤと対応するパスワードやユーザー名等を含み、ユーザー認証（個人認証）の際に用いられる。また、管理者や一般ユーザーやゲスト等の権限についても、印刷時や複写時に用いられる認証情報等として含んでいる。
また、出力制限設定情報は、印刷時や複写時に用いられるカラー、２色カラー、又はモノクロの出力を制限、管理するために用いられる。出力制限設定情報は、カラー出力許可設定、カラー出力制限設定、２色カラー出力許可設定、ロゴカラー出力許可設定等から構成される。このうち、カラー出力許可設定は、原稿のカラーが多いか少ないかのカラーレベルにより、カラー出力、２色カラー出力、モノクロ出力のいずれを許可するか否かの設定である。また、カラー出力制限設定は、読み取られたスキャン画像データ９５の電子透かしに埋め込まれた出力管理条件情報の「カラー出力制限条件」に関わらず、モノクロで出力するか否かの制限の設定である。また、２色カラー出力許可設定はモノクロ出力に設定された場合でも電子透かしに埋め込まれた出力管理条件情報の「２色カラー化可否」に２色カラーでの出力の許可が含まれていた場合に２色カラーで出力することを許可するか否かの設定である。ロゴカラー出力許可設定は、ロゴマークを検出したときに、ロゴカラーで出力するか否かの制限の設定である。
加えて、アカウント設定９０は、保存フォルダの名称や位置、ユーザーのＩＰアドレスやメールアドレス、住所録等を含んでいてもよい。また、アカウント設定９０は、認証情報と画像形成装置１の固有番号等から作成された固有暗号鍵を更に含んでいてもよい。
アカウント設定９０の各ユーザーの情報は、操作パネル部６から入力又は変更される。また、図示しない外部端末や記録媒体接続部等に接続された他の記録媒体等から、当該ユーザーの各種情報を入力して登録してもよい。
また、アカウント設定９０には、ゲストのユーザーを登録してもよい。
【００２４】
カラー選択条件設定９１は、ジョブデータ９６の印刷データの特徴量を判別するためのの設定、及び印刷時に電子透かしで付加される出力管理条件情報に含まれる管理者による条件の設定を含む。
カラー選択条件設定９１は、印刷データの特徴量の設定としては、カラーが多いか少ないか（カラー率）を判別するための数段階程度のカラーレベルの閾値を含む。カラー選択条件設定９１は、例えば、３段階のカラーレベルの閾値を設定する場合、「カラー多」としてスキャン画像データ９５の当該ページのカラーの面積が５０％以上の閾値、「カラー中」として１０％以上５０％未満の閾値、「カラー少」として１％以上１０％未満の閾値を設定可能である。なお、「カラー少」より低い場合は、モノクロと判定される。
カラー選択条件設定９１は、管理者による条件の設定を含む。この管理者による条件の設定としては、出力時のユーザーと複写時のユーザーとが異なる場合のカラー、２色カラー、モノクロ印刷の制限の設定、２色カラーの出力の可否と使用する色の組み合わせの設定等を含む。
カラー選択条件設定９１は、管理者のユーザーが操作パネル部６からの指示等により設定可能である。
【００２５】
ロゴ設定９４は、定形のロゴマークを認識するためのデータであり、画像データ及び画像認識用の特徴量データや座標データ等が用いられる。
ロゴマークは、企業のロゴマークのように、面積的に小さい所定座標に付記される。このため、印刷しても高価なカラートナー等の消費が少なく、上述のアカウント設定によってはカラーとして印刷することを許可してもよい。
なお、ロゴ設定９４は、ロゴマークだけではなく、署名、ヘッダー、フッター等を座標等で指定することも可能である。また、ロゴ設定９４は、特定のロゴマークの画像を認識するのではなく、画像認識により通常の文字やグラフや図形とは異なるマークを直接ロゴマークと認識する設定を用いてもよい。さらに、ロゴ設定９４として、ロゴマークだけではなく、所定の図形、グラフ、所定のキーワード等を指定してもよい。
ロゴ設定９４も、管理者のユーザーが操作パネル部６からの指示等により設定可能である。
【００２６】
スキャン画像データ９５は、主に原稿読取部２で読み取られ画像処理部１０で画像処理された画像データである。
スキャン画像データ９５としては、ＲＧＢカラーやモノクロやグレースケールのビットマップ画像のファイルや、ランレングスやＬＺＷ等で軽度に圧縮されたファイル等が含まれる。
なお、スキャン画像データ９５として、画像処理部１０や制御部８でＰＤＦやＴＩＦＦ等のファイル化されたデータが含まれてもよい。
【００２７】
ジョブデータ９６は、各種ジョブに関するデータである。ジョブデータ９６は、ジョブの種類、機能を実行させるコマンド、ジョブＩＤ（Identification）、ユーザーＩＤ、画像データやページ記述言語の印刷データを含む各種データ等から構成されている。このうち、ジョブの種類としては、例えば、印刷ジョブ、スキャンジョブ、リモートスキャンジョブ、コピージョブ、ＦＡＸジョブ等が含まれる。
本実施形態の印刷ジョブでは、端末２００から受信されたり、図示しない外部記録媒体や記憶部９の保存フォルダに記憶されたりしたページ記述言語の印刷データを、画像形成部７で用紙に記録する。また、本実施形態のコピージョブでは、原稿読取部２から読み取られた画像データを、画像形成部７で用紙に記録する。
【００２８】
画像処理部１０は、ＤＳＰ（Digital Signal Processor）やＧＰＵ（Graphics Processing Unit）等の制御演算手段である。画像処理部１０は、画像データに対して所定の画像処理を行う機能手段であり、例えば、拡大縮小処理や、濃度調整、階調調整等の画像改善処理を含む各種画像処理を行う。
また、画像処理部１０は、原稿読取部２で読み取られた画像を、ＰＤＦやＴＩＦＦ等のフォーマットの画像データに変換するための演算、電子透かしの付加や復号化に用いられてもよい。
【００２９】
ネットワーク送受信部１２は、ネットワーク１００に接続するためのＬＡＮボードや無線送受信機やテレフォン・ダイアラーやカプラ等を含む、外部のネットワーク１００へ接続する手段である。ネットワーク１００は、ＬＡＮ、ＷＡＮ、携帯電話網等のネットワークである。
ネットワーク送受信部１２は、ネットワーク１００を介し、端末２００と接続される。ネットワーク送受信部１２は、端末２００からジョブの指示を受信する。
【００３０】
なお、画像形成装置１は、制御部８や画像処理部１０等を、ＧＰＵ内蔵ＣＰＵや、チップ・オン・モジュールパッケージのように、一体的に形成してもよい。
また、画像形成装置１は、ファクシミリの送受信を行うＦＡＸ送受信部等を備えていてもよい。また、画像形成装置１は、他の画像形成装置１、又は外部のサーバ（図示せず）にアップロードを行うためのアップロード部等を備えていてもよい。
【００３１】
〔画像形成装置１によるカラー出力管理処理〕
次に、図３を参照して、本発明の実施の形態に係る画像形成装置１によるカラー出力管理処理について説明する。
画像形成装置１を複数人で使用する場合、機器の管理者が設定され、当該管理者が部門やユーザー毎の出力制限を行う権限を有している。
本発明実施形態カラー出力管理処理は、この管理者による設定と印刷時の処理と、印刷された原稿をユーザーが複写する際の複写時の処理とに分けられる。
図３（ａ）のフローチャートは、設定と印刷時の処理のフローチャートである。
本実施形態のカラー出力管理処理では、この管理者による出力制限を画像形成装置１にて詳細に設定する。この上で、ユーザーが出力しようとするスキャン画像データ９５に基づいて、設定されている出力制限設定情報を参照してカラー、２色、又はモノクロの印刷を行い、更にロゴカラーでロゴマークのみカラーで印刷することもできる。この際、画像形成装置１は、印刷する際に、印刷された用紙には、電子透かしを用いて、複写の際にカラー出力を管理する出力管理条件情報を埋め込んでおく。
図３（ｂ）のフローチャートは複写時のフローチャートである。
画像形成装置１は、印刷された用紙を複写する際には、原稿読込時に上記電子透かしに埋め込まれた出力管理条件情報を取得して、ログインしたユーザーの出力制限設定情報を参照し、複写物のカラー、２色カラー、又はモノクロでの出力を決定し、更にロゴカラーの出力も決定する。
以下で、図３のフローチャートにより、本実施形態のカラー出力管理処理をステップ毎に説明する。以下の処理は、制御部８の主にカラー出力制御部８１が、記憶部９に記憶されたプログラムに従って、ハードウェア資源を用いて実行する。
【００３２】
｛設定と印刷時の処理｝
まず、図３（ａ）のフローチャートにより、本発明の実施の形態に係るカラー出力管理処理における設定と印刷時の処理について説明する。
【００３３】
（ステップＳ１０１）
まず、カラー出力制御部８１は、出力管理設定処理を行う。
カラー出力制御部８１は、まず、管理者のユーザー認証を行う。カラー出力制御部８１は、操作パネル部６から管理者のユーザーＩＤやパスワード等の認証情報を入力を受け付け、これをアカウント設定９０を参照して認証を行う。カラー出力制御部８１は、この認証に成功するとログイン状態となり、操作パネル部６からのテンキーやタッチパネル等の入力により、以下のカラー及び複写時の出力管理の設定を可能とする。
なお、カラー出力制御部８１は、ＩＣカードや外部の端末からのリモートアクセスにより、認証を行ってもよい。
【００３４】
図４を参照して、この出力管理設定について説明する。
図４（ａ）の画面例５００によると、まず、管理者のユーザーの指示によって、カラー出力制御部８１は、設定［１］として、カラー選択条件設定及びカラー出力許可設定を行う。
カラー出力制御部８１は、カラー選択条件設定として、カラー選択条件設定９１の数段階のカラーレベルの各閾値を設定する。図４（ａ）の例では、３段階のカラーレベルとして「カラー多」「カラー中」「カラー少」の閾値を設定している。さらに、カラー出力制御部８１は、カラー選択条件設定として、出力管理条件情報に出力される管理者による条件の設定も行う。この条件としては、出力管理条件情報に「カラー出力制限条件」として埋め込まれる、原本はカラー出力するものの複写の際は同一ユーザーでなければカラー出力できない「自ユーザーのみカラー印刷可」といった条件や、出力管理条件情報に「２色カラー化可否」として埋め込まれる２色カラー出力の許可及び出力する色（トナー）の情報が用いられる。
また、カラー出力制御部８１は、カラー出力許可設定として、各ユーザーについて、カラー選択条件の各カラーレベルについて、カラー出力を許可するか、モノクロで印刷させるかを設定する。この例では、ユーザＡＡＡ〜ＥＥＥについて、各カラーレベルの原稿の場合にカラーでの印刷を許可するか否かを設定している。
【００３５】
図４（ｂ）の画面例５１０を参照すると、カラー出力制御部８１は、同様に設定［２］として、カラー出力制限設定及び２色カラー出力許可設定を行う。
カラー出力制御部８１は、カラー出力制限設定として、自ユーザーが出力したか他ユーザーが出力したかによりカラー出力を制限するか否か、電子透かしに埋め込まれた出力管理条件情報の「カラー出力制限条件」に従うか否か等の制限事項を設定する。この例においては、カラー出力制御部８１は、ユーザＡＡＡ〜ＥＥＥについて、「埋め込み情報に従う」「自文書もモノクロ」を選択させて設定している。ここでは、「埋め込み情報に従う」は、電子透かしに埋め込まれた出力管理条件情報のうち「カラー率」に従いカラー又はモノクロの印刷をするか否かを決定する選択を意味する。また「自文書もモノクロ」は、「カラー出力制限条件」が「自ユーザーのみカラー出力可可能」であって、複写したのが自ユーザーであっても、モノクロで印刷する設定である。
また、カラー出力制御部８１は、２色カラー出力許可設定として、電子透かしに埋め込まれた出力管理条件情報の「２色カラー化可否」で２色コピーが可能と設定されていた場合の制限事項を設定する。この例では、カラー出力制御部８１は、ユーザＡＡＡ〜ＥＥＥについて、「常にフルカラー」「検出時２色カラー」「常にモノクロ」を選択させて設定している。ここでは、「常にフルカラー」は、「２色カラー化可否」にかかわらず、常に文書をカラー印刷させる設定である。「検出時２色カラー」は、「２色カラー化可否」で２色コピーが可能と設定されていた場合、カラー出力がモノクロに制限されていても、２色印刷を許可する設定である。「常にモノクロ」は、「２色カラー化可否」で２色コピー可能と設定されていても、常にモノクロで印刷させる設定である。
【００３６】
図４（ｃ）の画面例５２０を参照すると、カラー出力制御部８１は、同様に設定［３］として、ロゴカラー出力許可設定を行う。
カラー出力制御部８１は、ロゴカラー出力許可設定として、電子透かしに埋め込まれた出力管理条件情報の「ロゴマーク」が「あり」等と設定されていた場合の制限事項を設定する。この例では、「常にフルカラー」「検出時ロゴカラー出力」「常にモノクロ」を選択させて設定している。ここでは「常にフルカラー」は、ロゴマークのあるなしに関わらず、常に文書をカラー出力させる設定である。「検出時ロゴカラー出力」は、ロゴマークが存在する場合、カラー出力が２色カラー又はモノクロに制限されていても、ロゴカラー印刷を許可する設定である。「常にモノクロ」は、ロゴマークの有無に関わらず、常にモノクロ印刷する設定である。
【００３７】
カラー出力制御部８１は、これらの設定を、カラー選択条件設定９１、及びアカウント設定９０の各ユーザーの出力制限設定情報に反映させる。
これらの設定の完了後、カラー出力制御部８１は処理をステップＳ１０２に進める。
【００３８】
（ステップＳ１０２）
次に、カラー出力制御部８１は、印刷電子透かし付加処理を行う。
ここでは、カラー出力制御部８１は、端末２００や外部の記録媒体や保存フォルダに記憶されたジョブデータ９６を取得すると、印刷ジョブであった場合、印刷データ内のページ記述言語の解析を行い、ユーザーを特定する。そして、カラー出力制御部８１は、ジョブデータ９６の印刷データをラスタライズして、一旦、一時データとして画像データを作成して記憶部９に記憶する。
また、ジョブデータ９６がコピージョブであった場合にも、カラー出力制御部８１は、操作パネル部６からのユーザーによる認証情報の入力により、ログイン処理を行って、ユーザーを特定する。この際にも、カラー出力制御部８１は、ジョブデータ９６の画像データを、一時データとして記憶部９に記憶する。
【００３９】
次に、カラー出力制御部８１は、記憶部９に記憶された一時データである画像データから、ページ単位でカラー率を算出する。すなわち、カラー出力制御部８１は、ページ全体のピクセルの合計のうち、白と黒以外のピクセルを算出し、この割合を「カラー率」として算出する。カラー出力制御部８１は、例えば、Ｃ、Ｍ、Ｙのカラーが所定の閾値以上の分散をもつピクセルをカラーと算出し、それ以外のピクセルを白黒と算出する。
なお、単純にカラーのピクセルの数を算出するのではなく、例えば、タイル状に区切られた領域のカラーの分散から、カラー率を判定してもよい。また、文字をＯＣＲ等で認識し、背景のうち文字だけがカラーの場合に、その領域全体をカラーであると判定してもよい。さらに、印刷データのページ記述言語を解析して、カラーの領域を算出したり、ラスタライズ時にカラーのピクセルを同時に算出してもよい。このカラーの算出を、画像処理部１０にて高速に行わせることも可能である。
【００４０】
また、カラー出力制御部８１は、ページ記述言語のデータや一次データである画像データから、ロゴ設定９４を参照して、ロゴの有無及び座標等を特定する。
カラー出力制御部８１は、ページ記述言語から所定のパターンを認識し、又はＯＣＲ等と同様の画像認識を行って、ロゴの有無及び座標等を特定する。
【００４１】
次に、カラー出力制御部８１は、アカウント設定９０とカラー選択条件設定９１とを参照して、出力を行うユーザーの出力制限設定情報に従い、画像形成部７で印刷される前の画像データに、電子透かしを埋め込む。カラー出力制御部８１は、この電子透かしとしては、例えば、一時データの画像データの印刷可能位置外の所定位置にイエローのドットを数ドット付加するような方式で付加する。これにより、電子透かしの目視での認識が難しくなり、改ざんを防ぎ、セキュリティを高めることが可能となる。また、文字の一部変更やモアレパターン等に付加する形式の電子透かしを用いることも可能である。また、ドットの付加の際にも、単純に数値をドットに変換するのではなく、改ざんを防ぐため、ユーザーの固有暗号鍵で暗号化することも可能である。
なお、カラー出力制御部８１は、電子透かしではなく、一次元や二次元バーコード等により、目視可能な状態で出力管理条件情報を付加することも可能である。この場合、ユーザーによるコピー時には、この出力管理条件情報を削除してモノクロのみ許可して印刷させるといった構成が可能である。
【００４２】
カラー出力制御部８１は、電子透かしに付加する出力管理条件情報としては、例えば、以下のような情報を埋め込む：
・ユーザーＩＤ：        ＤＤＤ
・カラー率：            ３７％
・カラー出力制限条件：  自ユーザーのみカラー印刷可
・２色カラー化可否：    可（赤＋黒）
・ロゴマーク：          あり
なお、出力管理条件情報に、画像形成装置１の固有番号、出力時刻、出力先情報、履歴番号等を埋め込んでもよい。
以上により、本発明の実施の形態に係るカラー出力管理処理における設定と印刷時の処理を終了する。
【００４３】
｛複写時の処理｝
ここで、図３（ｂ）のフローチャートにより、本発明の実施の形態に係るカラー出力管理処理における複写時の処理について説明する。
【００４４】
（ステップＳ１０３）
まず、カラー出力制御部８１は、原稿読み込み出力選択処理を行う。
カラー出力制御部８１は、ユーザーのログイン処理を行う。カラー出力制御部８１は、ユーザーから複写が指示された場合、原稿を読み込む。上述の処理で電子透かしが付加された原稿であった場合、埋め込まれた出力管理条件情報を取得する。カラー出力制御部８１は、取得された出力管理条件情報により、カラー、２色コピー、モノクロの出力を行うよう制御する。
この原稿読み込み出力選択処理の詳細については、下記で説明する。
以上により、本発明の実施の形態に係るカラー出力管理処理を終了する。
【００４５】
〔画像形成装置１による原稿読み込み出力選択処理〕
次に、図５を参照して、図３のステップＳ１０３の原稿読み込み出力選択処理の詳細について、ステップ毎に説明する。
【００４６】
（ステップＳ２００）
まず、カラー出力制御部８１は、ログイン処理を行う。
カラー出力制御部８１は、操作パネル部６上でパスワード等の入力によりユーザー認証を行う。この際、カラー出力制御部８１は、ＩＣカードリーダーや生体認証機器等（図示せず）を用いて認証を行ってもよい。
カラー出力制御部８１は、入力されたパスワード等の認証情報を、記憶部９のアカウント設定９０を参照して判定し、ユーザー認証を行う。
ユーザー認証が成功した場合、カラー出力制御部８１は、当該ユーザーのログイン状態とする。以下では、上述の図４のユーザーＡＡＡ又はユーザーＤＤＤがログインした場合の例について示す。
なお、カラー出力制御部８１は、端末２００のウェブブラウザ等からのパスワード等の入力によりユーザー認証を行ってもよい。
【００４７】
（ステップＳ２０１）
次に、カラー出力制御部８１は、原稿読み込み処理を行う。
まず、カラー出力制御部８１は、セットされた原稿を原稿読取部２に読み取らせ、画像処理部１０で処理させる。そして、画像処理部１０で処理された画像データは、一時ファイルであるスキャン画像データ９５として、一旦、記憶部９に記憶される。
なお、以下の処理は、スキャン画像データ９５のページ毎に実行されることが好適である。
【００４８】
（ステップＳ２０２）
次に、カラー出力制御部８１は、電子透かし復号処理を行う。
カラー出力制御部８１は、スキャン画像データ９５を画像認識して、電子透かしを検出する。この電子透かしの認識において、カラー出力制御部８１は、画像処理部１０のＧＰＵ等を用いて高速化してもよい。
電子透かしが検出された場合、カラー出力制御部８１は、この電子透かしを復号化し、埋め込まれた出力管理条件情報を取得する。
なお、カラー出力制御部８１は、電子透かし以外の二次元バーコード等について、同様に認識し、出力管理条件情報を取得することもできる。
また、カラー出力制御部８１は、このスキャン画像データ９５について、自動カラー認識を用いてカラー率を算出してもよい。
【００４９】
（ステップＳ２０３）
次に、カラー出力制御部８１は、電子透かしが存在したか否かを判定する。
カラー出力制御部８１は、電子透かしが検出され、復号化に成功し、出力管理条件情報を取得していた場合には、Ｙｅｓと判定する。カラー出力制御部８１は、それ以外の場合には、Ｎｏと判定する。なお、画像形成装置１の固有番号が、取得された出力管理条件情報の固有番号と異なる場合にも、Ｎｏと判定することもできる。
Ｙｅｓの場合、カラー出力制御部８１は、処理をステップＳ２０４に進める。
Ｎｏの場合、カラー出力制御部８１は、処理をステップＳ２１４に進め、スキャン画像データ９５を出力する。この際に、カラー出力制御部８１は、アカウント設定９０を参照して当該ユーザーのカラー出力許可設定に従い、カラー、２色カラー、又はモノクロで出力してもよい。この際にも、ロゴカラーで出力することも可能である。
【００５０】
（ステップＳ２０４）
電子透かしが復号化され出力管理条件情報が取得された場合には、カラー出力制御部８１は、カラー出力許可判断処理を行う。
まず、カラー出力制御部８１は、出力管理条件情報の「カラー率」とカラー選択条件設定９１の各閾値とを比較し、どのカラーレベルにあたるかを算出する。上述の例では、出力管理条件情報のカラー率が３７％であった場合には、図４（ａ）のカラー選択条件設定の例では、「カラー中」と算出される。なお、自動カラー認識を用いたカラー率から、カラーレベルを算出してもよい。
そして、カラー出力制御部８１は、算出されたカラーレベルについて、アカウント設定９０を参照し、カラー出力等を許可するか否かを判断し設定する。つまり、カラー出力制御部８１は、ログインしたユーザーの出力制限設定情報のカラー出力許可設定を参照し、この設定に従って、一旦、当該ページをカラー、２色カラー、又はモノクロのいずれかで出力するよう設定する。
【００５１】
ここで、上述の図４（ａ）のカラー出力許可設定の例を再び参照して、カラー出力許可判断処理の説明をする。
まず、カラー出力制御部８１は、ログインしたのがユーザーＡＡＡであった場合、当該ページは「カラー中」なので、「カラー出力」するよう設定する。
また、カラー出力制御部８１は、ログインしたのがユーザーＤＤＤであった場合は、当該ページは「カラー中」であるものの、「モノクロ出力」するよう設定する。
【００５２】
（ステップＳ２０５）
次に、カラー出力制御部８１は、カラー出力が許可されたか否かを判定する。
カラー出力制御部８１は、上述のステップＳ２０４で、ログインしたユーザーについて当該ページをカラー又は２色カラーで出力することが許可された場合には、Ｙｅｓと判定する。カラー出力制御部８１は、それ以外の場合、つまりモノクロ出力と設定された場合には、Ｎｏと判定する。
Ｙｅｓの場合、カラー出力制御部８１は、処理をステップＳ２０６に進める。
Ｎｏの場合、カラー出力制御部８１は、処理をステップＳ２０９に進める。
【００５３】
（ステップＳ２０６）
次に、カラー出力制御部８１は、出力制限判断処理を行う。
カラー出力制御部８１は、取得された出力管理条件情報を基に、上述のカラー率による出力の設定に関わらずカラー、２色カラー、モノクロ、又はロゴカラーでの出力を許可するか制限するか否かを判断する。
ここでは、カラー出力制御部８１は、取得された出力管理条件情報の各条件が、ログインしたユーザーの各種情報と合致するか否かを判断する。
【００５４】
まず、カラー出力制御部８１は、取得された出力管理条件情報のユーザーＩＤと、ログインしたユーザーのユーザーＩＤとを比較し、読み取った原稿のユーザーが同一か否かを判断する。カラー出力制御部８１は、同一のユーザーＩＤであった場合は自ユーザーと判断し、それ以外の場合は他ユーザーと判断する。
【００５５】
次に、カラー出力制御部８１は、取得された出力管理条件情報における「カラー出力制限条件」を基にして、カラー又は２色カラーでの出力を制限するか否かを判断する。この際、カラー出力制御部８１は、自ユーザーか他ユーザーか、ログインしたユーザーの出力制限設定情報に制限が設定されているかといった情報も参照して判断する。
具体的に、カラー出力制御部８１は、取得された出力管理条件情報の「カラー出力制限設定条件」が、例えば、「自ユーザーのみカラー印刷可」となっていた場合、ログインしたユーザーのアカウント設定９０を参照して、出力制限設定情報のカラー出力制限設定による制限を判断する。ここでは、カラー出力制御部８１は、例えば、当該ユーザーのカラー出力制限設定が「自文書もモノクロ」と設定されていた場合、自ユーザーであっても、当該ページのカラー又は２色カラーでの出力を制限するよう設定する。カラー出力制御部８１は、逆に、当該ユーザーのカラー出力制限設定が「埋め込み情報に従う」と設定されていた場合、上述の出力管理条件情報の「カラー出力制限条件」に合わせて出力するよう設定する。つまり、例えば「カラー出力制限条件」が、「自ユーザーのみカラー印刷可」である場合、ログインしたのが他ユーザーであればカラー又は２色カラーでの出力を制限するよう設定する。
また、同様に、カラー出力制御部８１は、取得された出力管理条件情報の「２色カラー化可否」と、ログインしたユーザーのアカウント設定９０の２色カラー出力許可設定による制限とを判断する。この場合、上述の「カラー出力制限条件」を優先させることが好適である。
さらに、カラー出力制御部８１は、取得された出力管理条件情報の「ロゴマーク」と、ログインしたユーザーのアカウント設定９０の２色カラー出力許可設定による制限とについても判断する。この場合も、上述の「カラー出力制限条件」を優先させることが好適である。
【００５６】
ここで、上述の図４の例を再び参照して、カラー出力制限判断処理の説明をする。
上述の例のように、取得された出力管理条件情報の「カラー出力制限条件」が「自ユーザーのみカラー印刷可」であり、ユーザーＩＤが「ユーザーＤＤＤ」であり、図４（ｂ）のようにカラー出力制限が設定されている場合：
カラー出力制御部８１は、ログインしたのがユーザーＡＡＡであれば、他ユーザーであるため、上述の出力の判断を変化させ、「モノクロ出力」に制限する。
カラー出力制御部８１は、ログインしたのがユーザーＤＤＤであれば、自ユーザーであるものの、ステップＳ２０４のカラー出力許可判断処理で、既にモノクロ出力と設定されているため、「モノクロ出力」のままとする。
【００５７】
さらに、同様に取得された出力管理条件情報の「２色カラー化可否」が「２色化可（赤＋黒）」であり、図４（ｂ）のように２色カラー出力許可設定が設定されている場合：
ログインしたのが他ユーザーであるユーザーＡＡＡの場合、カラー出力制御部８１は、出力管理条件情報の「カラー出力制限条件」が「自ユーザーのみカラー印刷可」であるのでこれを優先して、「モノクロ出力」に制限する。
ログインしたのが自ユーザーであるユーザーＤＤＤの場合、カラー出力制御部８１は、上述のようにカラー出力許可判断処理で、一旦、「モノクロ」と判断している。しかし、ユーザーＤＤＤは、２色カラー出力許可設定が「検出時２色カラー」のため、「２色カラー出力」に判断を変化させる。
【００５８】
また、同様に取得された出力管理条件情報の「ロゴマーク」が「あり」で、図４（ｃ）のようにロゴカラー出力許可設定が設定されている場合：
ログインしたのが他ユーザーであるユーザーＡＡＡの場合、カラー出力制御部８１は、出力管理条件情報の「カラー出力制限条件」を優先して、「モノクロ出力」に制限したままとする。
ログインしたのが自ユーザーＤＤＤの場合は、カラー出力制御部８１は、ユーザーＤＤＤのロゴカラー出力許可設定が「検出時ロゴカラー」のため、「２色カラー出力」に加えて、ロゴマークの箇所をカラー出力する「ロゴカラー出力」に変化させる。
【００５９】
（ステップＳ２０７）
次に、カラー出力制御部８１は、カラー出力が制限されたか否かを判定する。
カラー出力制御部８１は、上述のステップＳ２０６の出力制限判断処理でカラー出力が制限され、モノクロの出力に変化した場合には、Ｙｅｓと判定する。カラー出力制御部８１は、それ以外の場合には、Ｎｏと判定する。
Ｙｅｓの場合、カラー出力制御部８１は、処理をステップＳ２０９に進める。
Ｎｏの場合、カラー出力制御部８１は、処理をステップＳ２０８に進める。
【００６０】
（ステップＳ２０８）
次に、カラー出力制御部８１は、カラー出力が許可されていたか否かを判定する。カラー出力制御部８１は、上述のステップＳ２０６の出力制限判断処理でカラー出力が許可されており、出力判断制限もなかった場合には、Ｙｅｓと判定する。カラー出力制御部８１は、それ以外の場合には、Ｎｏと判定する。
Ｙｅｓの場合、カラー出力制御部８１は、処理をステップＳ２１４に進める。
Ｎｏの場合、カラー出力制御部８１は、処理をステップＳ２１０に進める。
【００６１】
（ステップＳ２０９）
カラー又は２色カラーの出力が許可されていなかった場合、及びモノクロ出力に変化した場合、カラー出力制御部８１は、モノクロ出力設定処理を行う。
ここでは、カラー出力制御部８１は、当該ページを、一旦、モノクロで出力するよう設定する。
その後、カラー出力制御部８１は、処理をステップＳ２１０に進める。
【００６２】
（ステップＳ２１０）
次に、カラー出力制御部８１は、２色カラー出力が許可されていたか否かを判定する。カラー出力制御部８１は、上述のステップＳ２０６の出力制限判断処理で２色カラー出力と判断されていた場合には、Ｙｅｓと判定する。カラー出力制御部８１は、それ以外の場合には、Ｎｏと判定する。
Ｙｅｓの場合、カラー出力制御部８１は、処理をステップＳ２１１に進める。
Ｎｏの場合、カラー出力制御部８１は、処理をステップＳ２１４に進める。
【００６３】
（ステップＳ２１１）
２色カラー出力が許可されていた場合、カラー出力制御部８１は、２色カラー出力化処理を行う。
カラー出力制御部８１は、取得された出力管理条件情報の「２色カラー化可否」のカラーを用いて、スキャン画像データ９５の当該ページを２色カラー出力に設定する。
【００６４】
（ステップＳ２１２）
次に、カラー出力制御部８１は、ロゴカラー出力が許可されていたか否かを判定する。カラー出力制御部８１は、上述のステップＳ２０６の出力制限判断処理で、ロゴカラー出力と判断されていた場合には、Ｙｅｓと判定する。カラー出力制御部８１は、それ以外の場合には、Ｎｏと判定する。
Ｙｅｓの場合、カラー出力制御部８１は、処理をステップＳ２１３に進める。
Ｎｏの場合、カラー出力制御部８１は、処理をステップＳ２１４に進める。
【００６５】
（ステップＳ２１３）
ロゴカラー出力が許可されていた場合、カラー出力制御部８１は、ロゴカラー出力化処理を行う。
カラー出力制御部８１は、スキャン画像データ９５の当該ページのロゴの座標をカラーで出力するロゴカラー出力に設定する。
【００６６】
（ステップＳ２１４）
ここで、カラー出力制御部８１は、出力処理を行う。
カラー出力制御部８１は、画像形成部７にて、上述の各制限による判断、及びユーザーによる制限に従って、カラー、２色カラー、モノクロ、又はロゴカラーにて、スキャン画像データ９５の当該ページを画像形成部７により印刷する。
なお、カラー出力制御部８１は、画像形成部７による印刷の他に、ＰＤＦファイルの作成、ファクシミリ送信等を行ってもよい。
また、カラー出力制御部８１は、カラー、２色カラー、モノクロ、又はロゴカラーの各出力をカウントして、履歴情報として記憶部９に記憶し、チャージ（料金）等を算出してもよい。この際、カラー出力制御部８１は、２色カラー又はロゴカラーの場合は、通常のカラーとは異なるチャージ等を設定してもよい。
以上により、原稿読み込み出力選択処理を終了する。
【００６７】
以上のように構成することで、以下のような効果を得ることができる。
本発明の実施の形態に係る画像形成装置１は、画像のカラー率やロゴマークの有無等の情報と、管理者によるユーザー毎の出力の制限と、印刷時の電子透かしの付加により、カラー、２色カラー、又はモノクロ出力の制限を効果的に切り換えることができる。
このため、カラートナーの消費を制限することができる。また、カラー出力の禁止により、原本と複写とを容易に認識可能となるため、セキュリティを強化できる。さらに、２色、ロゴカラー出力を細やかに使い分け、文書の見映えをよくすることができる。
【００６８】
なお、本実施形態の画像形成装置１は、画像形成装置以外の情報処理装置にも適用できる。
また、画像形成装置１は、他の画像形成装置や別途接続されたスキャナーやネットワークスキャナーで作成したスキャン画像データ９５を用いるような構成であってもよい。また、画像形成装置１は、印刷のみならずスキャンやＰＤＦ等のファイル化について、本実施形態の処理を用いてもよい。
【００６９】
なお、上記実施の形態の構成及び動作は例であって、本発明の趣旨を逸脱しない範囲で適宜変更して実行することができることは言うまでもない。
【符号の説明】
【００７０】
１  画像形成装置
２  原稿読取部
３  原稿給送部
４  本体部
５  スタックトレイ
６  操作パネル部
７  画像形成部
８  制御部
９  記憶部
１０  画像処理部
１２  ネットワーク送受信部
２１  スキャナー
２２  プラテンガラス
２３  原稿読取スリット
３１  原稿載置部
３２  原稿排出部
３３  原稿搬送機構
４１  排出口
４２  給紙部
４３  用紙搬送路
４４  搬送ローラー
４５  排出ローラー
６１  タッチパネル
６２  ボタン部
７１  感光体ドラム
７２  露光部
７３  現像部
７４  転写部
７５  定着部
８１  カラー出力制御部
９０  アカウント設定
９１  カラー選択条件設定
９４  ロゴ設定
９５  スキャン画像データ
９６  ジョブデータ
１００  ネットワーク
２００  端末
４２１  給紙カセット
４２２  給紙ローラー
５００、５１０、５２０  画面例
【図１】
2014131126.tif 000003
【図２】
2014131126.tif 000004
【図３】
2014131126.tif 000005
【図４】
2014131126.tif 000006
【図５】
2014131126.tif 000007